(57)【特許請求の範囲】
【請求項１】
プロジェクターを吊り下げて固定し、前記プロジェクターの有する吸気部より引きこまれる空気を前記プロジェクターの前方から引きこむ吸気ダクトと、前記プロジェクターの有する排気部より排気される空気をプロジェクターの後方に排気する排気ダクトとを設け、前記ダクトの内壁に吸音材を設けた天吊金具。
【請求項２】
前記吸音材は、前記内壁に挿入可能に形状形成したものである前記請求項１に記載の天吊金具。
【請求項３】
前記吸音材は、スポンジであることを特徴とする前記請求項１乃至２のいずれか１項に記載の天吊金具。
【請求項４】
請求項１乃至３のいずれか１項に記載の前記天吊金具で固定したプロジェクター。
【発明の詳細な説明】
【０００１】
【発明の属する技術分野】
本発明は天吊金具構造およびプロジェクターの使用方法に係わり、特にプロジェクター等の装置内の冷却用ファンによる騒音が外部に漏れることを抑制して、天井等の高所から吊り下げた状態にすることができる天吊金具構造およびプロジェクターの使用方法に関する。
【０００２】
【従来の技術】
天吊金具は例えば特開昭６−３３５４２号公報に示されているように、物体を裁置あるいは支持して天井等の高所から吊下する金具である。
【０００３】
図６はプロジェクターを裁置した従来技術の天吊金具を天井から吊り下げることにより、天井から吊り下げられた状態のプロジェクターを示す図であり、（Ａ）は正面図、（Ｂ）は側面図である。
【０００４】
天井３０にボルト３１とナット３２により天吊角度調整用金具ユニット３３が固定されている。天吊金具構造３６がプロジェクター１を固定裁置し、天吊金具構造３６の天井取付け用金具３４の取付け部３５を天吊角度調整用金具ユニット３３に横から挿入することにより、プロジェクター１を天井から吊り下げた状態にして使用する。
【０００５】
従来技術の天吊金具構造はプロジェクターを固定するだけの機能しか付いていないので、プロジェクターに内蔵するプロジェクター内の冷却用ファンによる騒音が耳障りのなることがある。
【０００６】
【発明が解決しようとする課題】
以上説明したように従来技術のプロジェクター等の装置を固定する天吊金具構造は、装置を固定するだけの機能しか付いていないので、装置に内蔵する冷却用ファンによる騒音が耳障りとなり、これを設置した部屋にいる人が不快になる場合が生じる。
【０００７】
したがって本発明の目的は、装置に内蔵する冷却用ファンによる騒音が外に漏れるのを抑制した天吊金具構造を提供することである。
【０００８】
本発明の他の目的は、上記天吊金具構造を用いたプロジェクターの使用方法を提供することである。
【０００９】
【課題を解決するための手段】
本発明の天吊金具は、プロジェクターを吊り下げて固定し、前記プロジェクターの有する吸気部より引きこまれる空気を前記プロジェクターの前方から引きこむ吸気ダクトと、前記プロジェクターの有する排気部より排気される空気をプロジェクターの後方に排気する排気ダクトとを設け、前記ダクトの内壁に吸音材を設けたことを特徴とする。
【００１０】
本発明のプロジェクターは、上述した天吊金具で固定される。
【００１３】
【発明の実施の形態】
以下図面を用いて本発明を説明する。図１は本発明の実施の形態の天吊金具構造を示す図であり、（Ａ）は平面図、（Ｂ）は（Ａ）のＢ−Ｂ部の断面図、（Ｃ）は（Ａ）のＣ−Ｃ部の断面図である。
【００１４】
液晶プロジェクターやＤＬＰプロジェクター等のプロジェクター１が天吊金具本体２に固定搭載されており、このプロジェクター１には第１の吸気部４Ａ、第２の吸気部４Ｂ、排気部５を有している。
【００１５】
第１の吸気部４Ａおよび第２の吸気部４Ｂのそれぞれには、部屋内の空気を冷却用風としてプロジェクター内に吸入する冷却用ファンが設けられいる。また、排気部５にはプロジェクター内を冷却することにより暖まった冷却用風を部屋に放出する冷却用ファンが設けられている。冷却用ファンは吸気部および排気部のうちの一方のみに設けられる場合もある。
【００１６】
プロジェクター１を裁置固定した天吊金具本体２の吸気側７には吸気用ダクト部９が設けられ、天吊金具本体２の排気側８には排気用ダクト部１０が設けられている。
【００１７】
プロジェクター１の第１および第２の吸気部４Ａ、４Ｂに対面位置する吸気用ダクト部９の箇所に第１および第２の吸気窓１４Ａ、１４Ｂがそれぞれ形成され、排気部５に対面位置する排気用ダクト部１０の箇所に排気窓１５が形成されている。
【００１８】
本発明ではさらに、それぞれのダクト部の内壁、すなわち側壁および底面壁に、上記窓形成箇所を除き、スポンジ材等の吸音材３を貼りつけて設けている。これにより冷却ファンの騒音をダクト内で減少させることができる。また、この吸音材３は予め内壁に挿入できるように形状形成されたものであるから、天吊金具構造の組立を容易に行うことができる。
【００１９】
そして全体を天吊金具蓋１６で覆うことにより、それぞれのダクトが空洞状に形成される。
【００２０】
次に図２を参照して図１の動作について説明する。
【００２１】
プロジェクター天吊設置状態において、プロジェクター１の前方の空気２１が冷却用ファンにより吸気ダクト９のダクト内に引き込まれ、その一部分が経路２２を通って第１の吸気窓１４Ａ、第１の吸気部４Ａからプロジェクター１内に入り、プロジェクター１を冷却しながら経路２３，２６を通って排気部５、排気窓１５から排気ダクト１０に入り、暖められた空気が経路２７を通ってプロジェクター１の後方に排気２８される。
【００２２】
また、吸気ダクト９のダクト内に入り込んだ空気の他部分が経路２２、２４を通って第２の吸気窓１４Ｂ、第２の吸気部４Ｂからプロジェクター１内に入り、プロジェクターを冷却しながら経路２５，２６を通って排気部５、排気窓１５を通って排気ダクト１０に入り、暖められた空気が経路２７を通ってプロジェクター１の後方に排気２８される。
【００２３】
その際、発生する騒音(冷却ファンによる風きり音等）が吸音材(たとえばスポンジ等）３に当たり音の周波を減衰し騒音を減少される。
【００２４】
このように本発明では、プロジェクター天吊金具にダクト機能及び吸音材等を設けることにより、プロジェクターによる騒音を減少させ、尚且つ天吊金具とサイレンサー装置を併せ持つためコストダウンを図ることが出来る。
【００２５】
さらにこの実施の形態では、プロジェクターへの吸気側と排気側とがプロジェクターに対して互いに逆方向（実施の形態では前方と後方）になるようにダクトを設けているから、プロジェクターには新しい空気（既に先ほど冷却に用いたことにより暖められた空気ではない空気）を引き入れることができ、プロジェクターの冷却効率を高めることができる。
【００２６】
図３は図１の天吊金具構造の組立の概要を示す斜視図である。尚、図３では、使用状態で天井側の天井取付け用金具１８を下側にして図示してある。
【００２７】
天吊金具本体２のダクト部に形状形成された吸音材３を挿入して内壁に貼り付ける。プロジェクター１に設けられてある固定用インサートナットに固定用伴（固定用ネジ）１１、１２、１３をネジ止めすることにより、プロジェクター1を天吊金具本体２に固定する。
【００２８】
天吊金具本体２にプロジェクター1が取り付いた状態で、固定用ネジ１７により天吊金具蓋１６を天吊金具本体２の側面にネジ止めにより取り付け、また、固定用ネジ１９により天井取付け用金具１８を天吊金具本体２にネジ止めにより取り付ける。
【００２９】
図４は天井取付け用金具１８を天吊金具本体２に取り付ける状態を特に示す斜視図であり、図３では図示を省略してあったが、天井取付け用金具１８には天井取付け用金具の取付け部４１が設けられており、この取付け部４１には挿入取り付け用の横方向切り込み４２および横方向切り込み４２の先端の縦方向切り込み４３が形成されている。
【００３０】
図５はプロジェクターを裁置した本発明の実施の形態の天吊金具構造を天井から吊り下げる状態を示す図であり、（Ａ）は側面図、（Ｂ）は斜視図である。
【００３１】
天井３０にボルト（図示省略）とナット（図示省略）により天吊角度調整用金具ユニット２０が固定されている。また、天吊角度調整用金具ユニット２０にはプロジェクターを搭載した天吊金具構造を吊り下げるためのロッド４５が横方向（水平方向）に突出している。
【００３２】
プロジェクターを搭載した天吊金具構造を矢印に示す挿入方向４４に水平移動させ、取付け部４１の横方向切り込み４２内にロッド４５を挿入させ、ロッド４５を縦方向切り込み４３に位置させることで、プロジェクターが天井から吊り下げられた状態となる。
【００３３】
上記した実施の形態において、天吊金具本体２、天吊金具蓋１６、天井取付け用金具１８はプレス加工をした金属板を用いている。
【００３４】
尚、本発明の名称は天吊金具構造であり金具という単語を用いているが、天吊金具本体２、天吊金具蓋１６、天井取付け用金具１８等の部品の一部あるいは全部を樹脂で構成することも可能である。
【００３５】
また、実施の形態では使用する部屋の天井からプロジェクターを吊り下げる場合を例示したが、騒音を発生する装置を高所から吊り下げる他の天吊金具構造にも本発明を適用することが可能である。
【００３６】
【発明の効果】
以上説明したように本発明の第一の効果は、プロジェクター等の装置を天吊金具に取付けるだけで騒音を減少できるということである。
【００３７】
その理由は、天吊金具に吸気側用ダクトと排気側ダクトを設け、プロジェクター等の騒音をダクト内で音の周波を減衰させ騒音を減少させるからである。
【００３８】
第二の効果は、コストダウンを図ることが出来ることである。
【００３９】
その理由は、天吊金具本来の機能と消音機能とを併せ持つことにより、コストダウンを図ることが出来るからである。
【図面の簡単な説明】
【図１】本発明の実施の形態の天吊金具構造を示す図であり、（Ａ）は平面図、（Ｂ）は（Ａ）のＢ−Ｂ部の断面図、（Ｃ）は（Ａ）のＣ−Ｃ部の断面図である。
【図２】本発明の実施の形態における冷却用の空気の流れを示す平面図である。
【図３】図１の天吊金具構造の組立の概要を示す斜視図である。
【図４】本発明の実施の形態における天井取付け用金具を天吊金具本体に取り付ける状態を示す斜視図である。
【図５】プロジェクターを裁置した本発明の実施の形態の天吊金具構造を天井から吊り下げる状態を示す図であり、（Ａ）は側面図、（Ｂ）は斜視図である。
【図６】プロジェクターを裁置した従来技術の天吊金具を天井から吊り下げる状態を示す図であり、（Ａ）は正面図、（Ｂ）は側面図である。
【符号の説明】
１    プロジェクター
２    天吊金具本体
３    吸音材（騒音吸収材）
４Ａ    プロジェクターの第１の吸気部
４Ｂ    プロジェクターの第２の吸気部
５    プロジェクターの排気部
７    天吊金具本体の吸気側
８    天吊金具本体の排気側
９    吸気用ダクト部
１０    排気用ダクト部
１１〜１３    固定用伴（固定用ネジ）
１４Ａ    天吊金具本体の第１の吸気窓
１４Ｂ    天吊金具本体の第２の吸気窓
１５    天吊金具本体の排気窓
１６    天吊金具蓋
１７    固定用ネジ
１８    天井取付け用金具
１９    固定用ネジ
２０    天吊角度調整用金具ユニット
２１〜２８    冷却用空気の流れ
３０    天井
３１    ボルト
３２    ナット
３３    天吊角度調整用金具ユニット
３４    天井取付け用金具
３５    天井取付け用金具の取付け部
３６    天吊金具構造
４１    天井取付け用金具の取付け部
４２    横方向切り込み
４３    縦方向切り込み
４４    挿入方向
４５    ロッド
【図１】
0003947862.tif 000002
【図２】
0003947862.tif 000003
【図３】
0003947862.tif 000004
【図４】
0003947862.tif 000005
【図５】
0003947862.tif 000006
【図６】
0003947862.tif 000007